(57)【要約】【課題】スロットからサーバを取り除くことに必要な時間を制御するための解除機構を提供する。【解決手段】この時間は、サーバの電力を遮断しスロットからサーバを取り除く前にサーバのデータを記憶するのに十分である。この解除機構は、近位端及び遠位端を有するアームを含む。アームは、第１の軸回りにクローズド位置からオープン位置まで回転するように取り付けられる。機構は、アームがオープン位置に付勢されるように動力をアームに与える。【選択図】図５
2019067354.tif 000002
【特許請求の範囲】
【請求項１】
スロットからサーバを取り除くことに必要な時間を制御するための解除機構であって、
近位端及び遠位端を有し、第１の軸回りにクローズド位置からオープン位置まで回転するように取り付けられるアームと、
前記アームが前記オープン位置に付勢されるように前記アームに動力を与えるための機構と、
ロック位置からアンロック位置まで移動可能であり、前記ロック位置にある場合、その一部が前記アームの一部に接合して前記アームの回転を阻止し、前記アンロック位置にある場合、前記アームが前記第１の軸回りに回転することを許可するように前記アームに接合しないラッチと、
を含む解除機構。
【請求項２】
前記第１の軸は、前記アームの前記近位端に位置する請求項１に記載の解除機構。
【請求項３】
前記ラッチは、第２の軸回りに前記ロック位置から前記アンロック位置まで枢転運動するように取り付けられる請求項１又は２に記載の解除機構。
【請求項４】
前記ラッチを前記ロック位置から前記アンロック位置まで移動するための接続ロッドを更に含む請求項１又は３に記載の解除機構。
【請求項５】
前記接続ロッドは、第３の軸回りに回転するように取り付けられる請求項４に記載の解除機構。
【請求項６】
前記第２の軸は、前記第３の軸に平行する請求項５に記載の解除機構。
【請求項７】
前記アームが前記オープン位置と前記クローズド位置との間に移動する場合、前記接続ロッドは、第１の方向に対向する第２の方向に前記第３の軸回りに回転し、且つ前記ラッチは、前記第１の方向に前記第２の軸回りに回転する請求項５に記載の解除機構。
【請求項８】
前記接続ロッドは、近位端及び遠位端を有し、前記第３の軸が中間部に位置する請求項７に記載の解除機構。
【請求項９】
スロットからサーバを取り除くことに必要な時間を制御するための解除機構であって、
近位端及び遠位端を有し、第１の軸回りにクローズド位置からオープン位置まで回転するように取り付けられるアームと、
前記アームが前記オープン位置に付勢されるように前記アームに動力を与えるための機構と、
ロック位置からアンロック位置まで移動可能であり、前記ロック位置にある場合、その一部が前記アームの一部に接合して前記アームの回転を阻止し、前記アンロック位置にある場合、前記アームが前記第１の軸回りに回転することを許可するように前記アームに接合しないラッチと、
前記アームが前記クローズド位置から前記オープン位置まで移動するように起動させるための機構と、
を含む解除機構。
【請求項１０】
スロットからブレードサーバを取り除くことに必要な時間を制御するための解除機構であって、
近位端及び遠位端を有し、第１の軸回りにクローズド位置からオープン位置まで回転するように取り付けられるアームと、
前記アームが前記オープン位置に付勢されるように前記アームに動力を与えるための機構と、
ロック位置からアンロック位置まで移動可能であり、前記ロック位置にある場合、その一部が前記アームの一部に接合して前記アームの回転を阻止し、前記アンロック位置にある場合、前記アームが前記第１の軸回りに回転することを許可するように前記アームに接合しないラッチと、
前記ブレードサーバに電力を供給することに用いられ、前記アームが前記クローズド位置にある場合、オンになって、前記ブレードサーバに電力を供給し、前記アームが前記オープン位置にある場合、オフになって、前記ブレードサーバに電力を供給しない電源回路と、
を含む解除機構。
【発明の詳細な説明】
【技術分野】
【０００１】
本開示は、コンピュータネットワークがブレードサーバ上のデータを記憶するまでスロットからブレードサーバを取り除く時間を遅らせるための解除機構に関する。
【背景技術】
【０００２】
ケースに位置する互いに離れたスロットにおけるインターネットに接続されるブレードサーバで実現されるコンピューターシステムは、周知のものである。ブレードサーバを時折そのケースから取り出して整備し又は交換する必要がある。このような過程中に、取り替わるブレードサーバが構成されるように、交換されたブレードサーバからデータが伝送される。ブレードサーバが非常に速く取り除かれると、サーバ中のデータを修復不可能に失うことがある。従って、本開示は、ブレードサーバが既にデータ伝送を完了し且つデータが安全となるまで取り除かないように、ブレードサーバの取り除きを遅らせるための解除機構を提供する。
【発明の概要】
【０００３】
本開示内容の一態様は、スロットからサーバを取り除くことに必要な時間を制御するための解除機構であって、近位端及び遠位端を有し、第１の軸回りにクローズド位置からオープン位置まで回転するように取り付けられるアームと、アームがオープン位置に付勢されるようにアームに動力を与えるための機構と、ロック位置からアンロック位置まで移動可能であり、ロック位置にある場合、その一部がアームの一部に接合してアームの回転を阻止し、アンロック位置にある場合、アームが第１の軸回りに回転することを許可するようにアームに接合しないラッチと、を含む解除機構を提供する。
【０００４】
本開示の一部の実施例によると、第１の軸は、アームの近位端に位置する。
【０００５】
本開示の一部の実施例によると、ラッチは、第２の軸回りにロック位置からアンロック位置まで枢転運動するように取り付けられる。
【０００６】
本開示の一部の実施例によると、ラッチをロック位置からアンロック位置まで移動するための接続ロッドを更に含む。
【０００７】
本開示の一部の実施例によると、接続ロッドは、第３の軸回りに回転するように取り付けられる。
【０００８】
本開示の一部の実施例によると、アームがオープン位置とクローズド位置との間に移動する場合、接続ロッドは、第１の方向に対向する第２の方向に第３の軸回りに回転し、且つラッチは、第１の方向に第２の軸回りに回転する。
【０００９】
本開示の一部の実施例によると、接続ロッドは、近位端及び遠位端を有し、第３の軸は、中間部に位置する。
【００１０】
本開示内容の別の態様は、スロットからサーバを取り除くことに必要な時間を制御するための解除機構であって、近位端及び遠位端を有し、第１の軸回りにクローズド位置からオープン位置まで回転するように取り付けられるアームと、アームがオープン位置に付勢されるようにアームに動力を与えるための機構と、ロック位置からアンロック位置まで移動可能であり、ロック位置にある場合、その一部がアームの一部に接合してアームの回転を阻止し、アンロック位置にある場合、アームが第１の軸回りに回転することを許可するようにアームに接合しないラッチと、アームがクローズド位置からオープン位置まで移動するように起動させるための機構と、を含む解除機構を提供する。
【００１１】
本開示の一部の実施例によると、起動するための機構は、近位端及び遠位端を有する棒を含み、近位端が操作者により押されるための表面を有し、棒の遠位端が接続ロッドの近位端に接合する。
【００１２】
本開示の一部の実施例によると、アームが第１の軸回りに回転することを阻止するダンパーを更に含む。
【００１３】
本開示の一部の実施例によると、ダンパーは、第４の軸回りに回転するように取り付けられるギヤを含む。
【００１４】
本開示内容の別の態様は、スロットからブレードサーバを取り除くことに必要な時間を制御するための解除機構であって、近位端及び遠位端を有し、第１の軸回りにクローズド位置からオープン位置まで回転するように取り付けられるアームと、アームがオープン位置に付勢されるようにアームに動力を与えるための機構と、ロック位置からアンロック位置まで移動可能であり、ロック位置にある場合、その一部がアームの一部に接合してアームの回転を阻止し、アンロック位置にある場合、アームが第１の軸回りに回転することを許可するようにアームに接合しないラッチと、ブレードサーバに電力を供給することに用いられ、アームがクローズド位置にある場合、オンになって、ブレードサーバに電力を供給して、アームがオープン位置にある場合、オフになって、ブレードサーバに電力を供給しない電源回路と、を含む解除機構を提供する。
【００１５】
本開示の一部の実施例によると、電源回路は、アームがオープン位置に位置する前にオフになって、ブレードサーバがスロットから取り除かれてよい。
【００１６】
本開示の一部の実施例によると、スロットからブレードサーバを取り除く前の時間は、ブレードサーバから必要なデータを記憶することに十分である。
【００１７】
本開示の一部の実施例によると、アームがクローズド位置からオープン位置まで運動するように起動させるための機構を更に含む。
【００１８】
本開示の一部の実施例によると、アームが第１の軸回りに回転することを阻止するダンパーを更に含む。
【００１９】
本開示の一部の実施例によると、ダンパーは、第４の軸回りに回転するように取り付けられるギヤを含む。
【００２０】
本開示の一部の実施例によると、動力を与える機構はバネである。
【図面の簡単な説明】
【００２１】
本開示を理解させるために、ここで、図面及び説明書を参照して実施例に基づき本開示を説明する。
【図１】オフ遅延用解除機構を有するスロット内に位置する例示的なブレードサーバを示す斜視図である。
【図２】アームがクローズド位置にあるオフ遅延用解除機構を示す平面図である。
【図３】アームがクローズド位置にあり且つラッチがアンロックである場合、作動後にアームがリリースされた直後のオフ遅延用解除機構を示す平面図である。
【図４】アームがオープン位置にあり、電源回路がオフ状態にある場合のオフ遅延用解除機構を示す平面図である。
【図５】オフ遅延用解除機構を示す斜視図である。
【図６】ブレードサーバをサーバラックのスロットに差し込むことを示す斜視図である。
【図７】ブレードサーバをサーバラックのスロットに差し込むことを示す斜視図である。
【図８】ブレードサーバをサーバラックのスロットに差し込むことを示す斜視図である。
【図９】ブレードサーバをサーバラックのスロットに差し込むことを示す斜視図である。
【発明を実施するための形態】
【００２２】
本開示は、数多くの異なる形態によって簡単に実施することができるが、添付図面に本開示を詳しく説明する好ましい実施例を示す。理解すべきなのは、本開示は原理と見なされる例示であり、本開示の広範な態様は示される実施例に限定されない。
【００２３】
図１は、スロット１２に取り付けられコンピュータネットワーク（未図示）に電気的に結合された、ハンドル１４を有するサーバ１０を示す斜視図である。このハンドル１４を操作者は握って、スロット１２からサーバ１０を抜き取りそれと電源及びコンピュータネットワークとの接続を遮断させる。実施例において、サーバは、ブレードサーバ１０であるが、当業者に公知の他の類型のサーバであってもよい。本開示では、「ブレード」サーバを説明するが、このような類型のサーバに限定されない。ブレードサーバ１０の電源が遮断する前にブレードサーバ１０上のデータをコンピュータネットワークに伝送する十分な時間があることを許可するように、ブレードサーバ１０の取り除きを遅らせることが好ましい。このため、２つのオフ遅延用解除機構２０をスロット１２の付近に取り付けてブレードサーバ１０がこの時間内に取り除かれることを防止して、ブレードサーバ１０のデータが以下の通りにアームの移動によって電源が遮断する前にコンピュータネットワークに伝送されることを許可する。
【００２４】
オフ遅延用解除機構２０は、アーム２２、接続ロッド２４、ラッチ２６及びスターター機構２８を有する。図１では、２つのオフ遅延用解除機構２０を示すが、単一の解除機構でも十分であることが予期される。しかしながら、１つのオフ遅延用解除機構２０が故障し別のが予備として使用される場合には、２つの解除機構が好ましい。２つのオフ遅延用解除機構２０は同じであるため、別々に説明する必要がない。
【００２５】
オフ遅延用解除機構２０は、ダンパー３０、テンション機構３２及びスイッチ３４を有する。ダンパー３０によって移動が阻止されるアーム２２は、ブレードサーバ１０のデータを十分に記憶する時間が経過後にオープン位置へ移動する。テンション機構３２又はテンション装置は、アーム２２をオープン位置に付勢する。スイッチ３４は、アーム２２の移動によって「オン」の位置から「オフ」の位置に移動することができる。オン状態にある場合、電源回路（未図示）は、ブレードサーバ１０に給電する。スイッチ３４がオフ位置にある場合、電流は、ブレードサーバ１０に流れない。ダンパー３０は、データバックアップに十分な時間を持たせるように、スイッチ３４をオン状態に保つ。
【００２６】
図２は、オフ遅延用解除機構２０のラッチ２６がロック位置にあることを示す平面図であり、アーム２２がクローズド位置にあり、スイッチ３４がオン状態にある。解除機構のこのような状况は、クローズド／オン（ｃｌｏｓｅｄ／ｏｎ）と称することがある。図３は、オフ遅延用解除機構２０のラッチ２６がアンロック位置にあることを示す平面図であり、アーム２２がクローズド位置にあり、スイッチ３４がオン状態にある。図３に示すように、装置のこのような状態はリリース／オン（ｒｅｌｅａｓｅｄ／ｏｎ）と称することがある。図４は、オフ遅延用解除機構２０のラッチ２６がアンロック位置にあり且つスイッチ３４がオフ状態にあることを示す平面図である。解除機構２０のこのような状况はオープン／オフ（ｏｐｅｎ／ｏｆｆ）と称することがある。
【００２７】
図２〜図４は、アーム２２が近位端４０及び遠位端４２を有することを示す。アーム２２は、近位端に位置する横ロッド４４から延伸することが一般的である。横ロッド４４は、アーム２２がクローズド位置（図２）とオープン位置（図４）との間に枢転運動するように、軸４６上に取り付けられる。横ロッド４４は、一対のフランジ４７とフック４８を有する。解除機構２０がクローズド／オン（ｃｌｏｓｅｄ／ｏｎ）状態にある場合、そして解除機構２０がリリース／オン（ｒｅｌｅａｓｅｄ／ｏｎ）状態にある場合、フランジ４７はスイッチ３４と接合する。解除機構がオープン／オフ（ｏｐｅｎ／ｏｆｆ）状態にある場合、フランジ４７はスイッチ３４と離れる。フック４８はサーバラック上のフランジと接合してそれをラックにロックする。以下の図６〜図９に示すように、フック４８は、ロック位置からアンロック位置に移動することができ、好ましくフック４８の軸を介して回転する。
【００２８】
アーム２２の中心部は、間隙によって互いに離れた２つのロッド５０、５２を有する。互いに離れた１対の支柱５４は、この間隙を貫通してロッド５０からロッド５２まで延伸しロッド５２と鋭角αを形成する。アーム２２は、前鍔６４と後鍔６６の間に介在し且つほぼＣ形切欠６２を有する拡大部６０で終わる。前鍔６４は、アーム２２から軸方向に外へ後鍔６６よりも大きな距離を延伸する。
【００２９】
接続ロッド２４は、近位端７０、遠位端７２とその中間部にある階段７４を有する。接続ロッド２４は、中間部で軸７６回りに枢転運動するように取り付けられる。接続ロッド２４の近位端７０は、スターター機構２８の棒７８と操作可能に接合される。遠位端７２は、一部のラッチ２６と操作可能に接合される。操作者がスターター機構２８を押す場合、棒７８は内へ移動して、接続ロッド２４の遠位端７２を下へ移動させ（図２〜図４）、ラッチ２６をロック位置（図２）からアンロック位置（図３）まで移動させる。
【００３０】
ラッチ２６はほぼＬ形であり、軸８０回りに枢転するように取り付けられ、例えばバネ８２の動力によってロック位置に付勢される（図２）。ラッチ２６の一端は、接続ロッド２４の遠位端７２に操作可能に接合される。ラッチ２６の他端８６は、突出部８８を有する拡大部を含む。アーム２２が軸４６回りに回転しないように、突出部８８のサイズは、アーム２２のＣ形切欠６２と合致するように設計される。
【００３１】
スターター機構２８の一端は、操作者が解除機構の矢印（図３）方向に沿って内へ押す表面８９を有する。棒７８は、非作動位置（ロック）と作動位置（アンロック）との間に往復して並進運動するように取り付けられる。棒７８が非作動位置に付勢されるようにバネを棒７８に設ける。或いは、これ以外、接続ロッド２４及びスターター機構２８をロック位置（図２）に回復するようにバネを接続ロッド２４に設ける。
【００３２】
図５は、ダンパー３０及びテンション機構３２を含むオフ遅延用解除機構を示す斜視図である。ダンパー３０はギヤ９０を具備し、ギヤ９０がその全体周縁に沿って仕切られる複数の歯９２を有する。ギヤ９０は、軸９４回りに回転運動するように取り付けられる。ギヤ９０は、回転し難いように付勢されている。テンション機構３２は、複数の歯９６を支持する外面を有し、歯９６がギヤの歯９２に噛み合う。図２に示すように、テンション機構３２は、バネ８２の付勢によってアーム２２をオープン位置まで回転させる。ギヤ９０は、電力遮断の前にブレードサーバ１０からのデータ保存に必要な時間を確保するように十分な回転抵抗力を有する。
【００３３】
図６〜図９は、ブレードサーバ１０がサーバラック（全て図示しない）のスロット１２に差し込まれることを示す。図６は、矢印１００の方向に沿ってブレードサーバ１０をサーバラックに移動することを示す。サーバラックは、複数の垂直に仕切られるスロット１２を有する取り付け耳１０２を具備し、各スロット１２が当接部材１０４に対応する。本開示の好ましい形態において、各アーム２２毎に設置される当接部材１０４がある。好ましくは、２つの当接部材１０４が各サーバ１０と対応するように、ブレードサーバ１０の対向端にあるサーバラックの対向側上の対向する取り付け耳に当接部材１０４がある。当接部材１０４は、ブレードサーバを当接部材からロックとアンロックをするように、ブレードサーバ１０の一部と接合することに用いられる。ロック位置で、ブレードサーバ１０をスロット１２から取り除くと、ブレードサーバ１０又はその一部が損壊する。
【００３４】
当接部材１０４は、弓形壁１０６を具備し、貫通孔１１０を有する弓形壁１０６の先端部にフランジ１０８がある。サーバ１０がロック位置にある場合、フック４８の一部は、貫通孔１１０の中に位置決めされる。直立する突起１１２は、弓形壁１０６に近接し、ねじナット１２０を収容するためのねじ穴１１４を有するように設けられる。サーバ１０を更にスロット１２の中にロックするために、例えばレンチ１２２によってねじナット１２０をねじ穴１１４の中に捻じる。
【００３５】
図６に示すように、ブレードサーバは始めに、ブレードサーバの一部が図７に示すようにサーバラックの一部と隣接するまで、矢印１００の方向に沿ってサーバラックのスロット１２の中に差し込まれる。アームは、ブレードサーバの前縁から垂直に延伸するように、水平面に設けられる。
【００３６】
図８は、軸４６回りに矢印１３２の方向に沿って回転するアーム２２を示す。この回転によりフック４８がフランジ１０８及び貫通孔１１０と接合するように回転して、ラチェットのように矢印１４０の方向に沿ってブレードサーバを引き（図９）、示されるサーバがロック位置にある。図９にも、ねじナット１２０をねじ穴１１４の中の位置に固定するまで、レンチ１２２を移動することを示す。
【００３７】
オフ遅延用解除機構２０によってブレードサーバをサーバラックから取り除くために、アーム２２がロック位置（図２）にある状態から、アーム２２はラッチ２６を介して軸４６回りに回転できず、接続ロッドがスイッチ３４をオン状態にセットする。操作者がブレードサーバ１０をスロット１２から取り出す時に、その人は図４に示すような矢印の方向に沿って内側へ表面８９を押して、棒７８が接続ロッドを軸７６回りに回転させて接続ロッド２４の遠位端７２がラッチ２６を軸８０回りに回転させる。今、オフ遅延用解除機構２０は、図３に示すようなリリース／オン（ｒｅｌｅａｓｅｄ／ｏｎ）状態にある。コンピュータネットワークは、信号を受信してブレードサーバからデータを検索し記憶し始める。今、ギヤ９０の抵抗力に反してアーム２２がテンション機構３２によって開く。この開放を速くするように操作者がアーム２２で外へ引いても、ギヤ９０がこの力を阻止する。アーム２２が軸４６回りに引き続き回転して、接続ロッド２４がスターター機構２８から離れて、アーム２２がオープン状態に移動することを許可する。今、オフ遅延用解除機構２０は図４に示すようなオープン／オフ（ｏｐｅｎ／ｏｆｆ）状態にあり、安全にブレードサーバ１０を取り除くことができる。例えば点滅する光又は音声のようなブレードサーバ１０を取り除くことができるというある合図をユーザーに提供してもよい。
【００３８】
本開示は、スロットからブレードサーバを取り除くことに必要な時間を制御するための解除機構を開示する。この時間は、ブレードサーバが電源を遮断しブレードサーバがスロットから取り除かれる前に、ブレードサーバのデータを記憶することに十分である。この解除機構は、近位端及び遠位端を有するアームを含む。アームは、第１の軸回りにクローズド位置からオープン位置まで回転するように取り付けられる。動力は、アームがオープン位置に付勢されるようにアームに与えられる。この解除機構は、またロック位置からアンロック位置に移動するラッチを有する。ロック位置にある場合、ラッチの一部がアームの一部に接合してアームの回転を阻止する。ラッチがアンロック位置にある場合、アームが第１の軸回りに回転することを許可するように、ラッチがアームに接合しない。
【００３９】
この解除機構は、またブレードサーバに給電する電源回路を含み、アームがクローズド位置にある場合、電源回路がオンになって、ブレードサーバに給電するが、アームがオープン位置にある場合、電源回路がオフになって、ブレードサーバに給電しない。
【００４０】
上記の教示によると、本開示の数多くの修正や変更は可能である。従って、本開示は、添付される特許請求の範囲内で保護されるものであり、具体的な説明だけに限定されない。
【符号の説明】
【００４１】
１０  サーバ
１２  スロット
１４  ハンドル
２０  解除機構
２２  アーム
２４  接続ロッド
２６  ラッチ
２８  スターター機構
３０  ダンパー
３２  テンション機構
３４  スイッチ
４０、７０  近位端
４２、７２  遠位端
４４  横ロッド
４６、７６、８０、９４  軸
４７、１０８  フランジ
４８  フック
５０、５２  ロッド
５４  支柱
６０  拡大部
６２  Ｃ形切欠
６４  前鍔
６６  後鍔
７４  階段
７８  棒
８２  バネ
８６  他端
８８  突出部
８９  表面
９０  ギヤ
９６  歯
１００、１３２、１４０  矢印
１０２  取り付け耳
１０４  当接部材
１０６  弓形壁
１１０  貫通孔
１１２  突起
１１４  ねじ穴
１２０  ねじナット
１２２  レンチ
α  鋭角
【図１】
2019067354.tif 000003
【図２】
2019067354.tif 000004
【図３】
2019067354.tif 000005
【図４】
2019067354.tif 000006
【図５】
2019067354.tif 000007
【図６】
2019067354.tif 000008
【図７】
2019067354.tif 000009
【図８】
2019067354.tif 000010
【図９】
2019067354.tif 000011